(57)【要約】【課題】スリルに富んだ遊びができる玩具用載置装置を提供すること。【解決手段】上面に対戦型玩具Ａ，Ｂを載置させる板状のリング２０と、前記リング２０を支持するためのリング用支持部材１００と、前記リング２０と前記リング用支持部材１００との間に掛け渡される紐状体３０とを備え、前記リング用支持部材１００は、前記紐状体３０を介して、当該リング用支持部材１００の設置面から浮かせた状態で前記リング２０を支持する。【選択図】図１
0003188031.tif 000002
【実用新案登録請求の範囲】
【請求項１】
玩具を載置させる載置台と、前記載置台を支持するための載置台用支持部材と、前記載置台と前記載置台用支持部材との間に掛け渡される紐状体とを備え、前記載置台用支持部材は、前記紐状体を介して、揺動自在に前記載置台を支持することを特徴とする玩具用載置装置。
【請求項２】
前記載置台用支持部材は、前記紐状体を介して、当該載置台用支持部材の設置面から浮かせた状態で前記載置台を支持することを特徴とする請求項１記載の玩具用載置装置。
【請求項３】
前記紐状体が弾性材によって形成されていることを特徴とする請求項１又は２記載の玩具用載置装置。
【請求項４】
前記載置台用支持部材の設置面に設置可能に構成され、設置した状態で前記載置台の外周部に嵌合可能な溝を有し、この溝が当該載置台の外周部に嵌合した際に前記載置台の外周部を当該溝の縁で少なくとも下方から支持可能に構成され、前記載置台の揺れに伴って支持解除可能なポールを備えることを特徴とする請求項１から３いずれか一項に記載の玩具用載置装置。
【請求項５】
前記ポールは、前記溝に直交する他の溝を備え、当該他の溝を前記載置台の外周部に嵌合させることによって前記載置台からの前記玩具の落下をし難くする落下抑制部材を兼ねていることを特徴とする請求項４記載の玩具用載置装置。
【請求項６】
前記載置台用支持部材は、前記載置台の周囲に配置され当該載置台の上方まで延在して互いに連結及び連結解除可能に構成された複数のフレームと、前記複数のフレームを連結させる連結具とを備え、前記複数のフレームによって区画される空間内に前記載置台が配置されることを特徴とする請求項１から５いずれか一項に記載の玩具用載置装置。
【考案の詳細な説明】
【技術分野】
【０００１】
本考案は玩具用載置装置に関するもので、例えば、対戦型ロボット玩具を対戦させるためのリング（載置台）を備えた玩具用載置装置に関するものである。
【背景技術】
【０００２】
拳闘遊びができるロボット玩具（対戦型ロボット玩具）として、動作可能な手を備え、走行可能な脚を備えたロボット玩具がある（例えば、特許文献１参照）。
【０００３】
特許文献１に開示されたロボット玩具用リング（玩具用載置台）は、平面形状がほぼ正四角形をなす台座と、この台座の四隅に固定された４本のポールと、ポール間に張り巡らした２本のリングロープとから構成されている。このリングは、台座の表面すなわちロボット玩具を置く設置面は、中心の平坦面に向かって下がるように傾斜している。このような設置面を形成すると、常に２体のロボット玩具が中央部付近で接近するようになり、狭いリング上で闘いをスムーズに行わせることができる。
【先行技術文献】
【特許文献】
【０００４】
【特許文献１】ＷＯ２００３／０９５０５３号公報
【考案の概要】
【考案が解決しようとする課題】
【０００５】
しかしながら、このリングによれば、リング自体は動かないため、スリルに乏しいという問題があった。そのため、対戦に意外性がなくなり、技量の高いプレイヤが常に勝利してしまうという問題がある。
【０００６】
本考案は、スリルに富んだ遊びができる玩具用載置装置を提供することを目的としている。
【課題を解決するための手段】
【０００７】
請求項１記載の玩具用載置装置は、玩具を載置させる載置台と、前記載置台を支持するための載置台用支持部材と、前記載置台と前記載置台用支持部材との間に掛け渡される紐状体とを備え、前記載置台用支持部材は、前記紐状体を介して、揺動自在に前記載置台を支持することを特徴とする。
【０００８】
請求項２記載の玩具用載置装置は、請求項１記載の玩具用載置装置において、前記載置台用支持部材は、前記紐状体を介して、当該載置台用支持部材の設置面から浮かせた状態で前記載置台を支持することを特徴とする。
【０００９】
請求項３記載の玩具用載置装置は、請求項１又は２記載の玩具用載置装置において、前記紐状体が弾性材によって形成されていることを特徴とする。
【００１０】
請求項４記載の玩具用載置装置は、請求項１から３いずれか一項に記載の玩具用載置装置において、前記載置台用支持部材の設置面に設置可能に構成され、設置した状態で前記載置台の外周部に嵌合可能な溝を有し、この溝が当該載置台の外周部に嵌合した際に前記載置台の外周部を当該溝の縁で少なくとも下方から支持可能に構成され、前記載置台の揺れに伴って支持解除可能なポールを備えることを特徴とする。
【００１１】
請求項５記載の玩具用載置装置は、請求項４記載の玩具用載置装置において、前記ポールは、前記溝に直交する他の溝を備え、当該他の溝を前記載置台の外周部に嵌合させることによって前記載置台からの前記玩具の落下をし難くする落下抑制部材を兼ねていることを特徴とする。
【００１２】
請求項６記載の玩具用載置装置は、請求項１から５いずれか記載の玩具用載置装置において、前記載置台用支持部材は、前記載置台の周囲に配置され当該載置台の上方まで延在して互いに連結及び連結解除可能に構成された複数のフレームと、前記複数のフレームを連結させる連結具とを備え、前記複数のフレームによって区画される空間内に前記載置台が配置されることを特徴とする。
【考案の効果】
【００１３】
請求項１の玩具用載置装置によれば、載置台が遊びの中で揺動するため、スリルに富んだ遊びをすることができる。
【００１４】
請求項２の玩具用載置装置によれば、載置台用支持部材の設置面から浮かせた状態で載置台が支持されているため、載置台が遊びの中で揺動するため、スリルに富んだ遊びをすることができる。
【００１５】
請求項３の玩具用載置装置によれば、紐状体が伸縮することによって載置台の動きがより多様化し、その分、スリルに富んだ遊びが得られる。
【００１６】
請求項４の玩具用載置装置によれば、載置台がポールによって支持されるので、少し安定した状態に載置台が支持される。
【００１７】
請求項５の玩具用載置装置によれば、ポールによって玩具が載置台から転落し難くなるため、その分、載置台での玩具の遊びを長く楽しむことができる。
【００１８】
請求項６の玩具用載置装置によれば、載置台用支持部材が分解可能となっているため、片付けが簡単に行えることになる。
【図面の簡単な説明】
【００１９】
【図１】本考案の玩具用載置装置の一実施形態を示した斜視図である。
【図２】図１の玩具用載置装置の平面図である。
【図３】本実施形態の玩具用載置装置を構成するフレームの展開図である。
【図４】フレームおよび連結具を示した斜視図である。
【図５】本実施形態の玩具用載置装置を構成するリング及び紐状体の斜視図である。
【図６】本実施形態の玩具用載置装置を構成するポールを一方向から見た斜視図である。
【図７】本実施形態の玩具用載置装置を構成するポールを他方向から見た斜視図である。
【図８】本実施形態におけるポールの使用態様を示した説明図である。
【考案を実施するための形態】
【００２０】
以下、本考案の玩具用載置装置を図面に示した実施形態に基づいて説明する。
【００２１】
図１は玩具用載置装置の斜視図、図２は玩具用載置装置の平面図である。
この実施形態の玩具用載置装置は対戦型玩具用スタジアム（以下、単にスタジアムと言う。）1として構成されている。このスタジアム１は、スタジアムの外郭を構成する３本のフレーム１０，１０，１０と、この３本のフレーム１０，１０，１０によって区画される空間に配置される板状のリング（載置台）２０と、このリング２０をフレーム１０に吊り下げて地上から浮かせた状態で支持する紐状体３０とを備えている。なお、ここでは板状のリング２０となっているが、厚さは均一でなくてもよい。また、例えば上面は平らで下側が逆円錐状等であり、その円錐の頂点１点で接地するような構成であってもよい。要は、リング２０がフレーム１０に吊り下げられ揺動可能となっていればよい。
【００２２】
３本のフレーム１０，１０，１０は互いに同じ形状及び材質を有している。したがって、その中の１つのフレーム１０を例にして説明する。フレーム１０は、図３の展開図で示す形状の平板状の紙片を折り線ａに沿って２つ折りにすることによって構成されている。このフレーム１０は、図３の展開図において、設置縁１１ａを有する基部１１と、上方に延びる柱を形成する主部１２と、フレーム１０を互いに連結するための天井部１３とを備えている。なお、ここでは各フレーム１０は平板状の紙片を２つ折りにして構成されているが、平板状のプラスチックを２つ折りにして構成されていてもよい。このように、各フレーム１０を平板状の紙片又はプラスチックを２つ折りにして構成すれば、片付けの際に、立体状のフレーム１０を展開状態にして平面状にして収納することができるので、片付けを簡単に行うことができる。
【００２３】
このうち、基部１１は、主部１２の両側方に張り出し、設置縁１１ａを成す傾斜部を有している。
主部１２は、展開状態において、下方に向けて幅が増大する形状を有している。この主部１２の両側縁には、上段フック１２ａ及び下段フック１２ｂを成す２つの切欠きが所定の間隔を隔てて形成されている。この上段フック１２ａ及び下段フック１２ｂは紐状体３０の掛部を構成している。
天井部１３は、展開状態において、主部１２の外側斜め上方に張り出し、その天井部１３の先端部内側には上部連結片１３ａを成す突起が形成され、先端部外側には下部連結片１３ｂを成す突起が形成されている。上部連結片１３ａと下部連結片１３ｂは天井部本体に対して互いに反対の方向に突出している。そして、ここでは、上部連結片１３ａの突出量及び幅は下部連結片１３ｂの突出量及び幅よりも大きく設定されている。勿論、上部連結片１３ａの突出量及び幅は下部連結片１３ｂの突出量及び幅と同じであってもよいし、上部連結片１３ａの突出量及び幅は下部連結片１３ｂの突出量及び幅よりも小さく設定されていてもよい。
【００２４】
各フレーム１０は、上述したように、折り線ａに沿って図４に示すように２つ折りにされて使用される。その際、各フレーム１０の天井部１３では折り返された紙片の裏面同士が互いに当接するようにされる一方、各フレーム１０の基部１１では折り返された紙片の裏面同士が折り線ａを頂点とする山形となるようにされる。これによって、各フレーム１０を安定的に起立させることができる。
そして、３つのフレーム１０，１０，１０は、上部連結片１３ａ，１３ａ，１３ａを上部連結板１４で結合するとともに、下部連結片１３ｂ，１３ｂ，１３ｂを下部連結板１５によって結合することによって、３つのフレーム１０，１０，１０が互いに連結されて１つのリング用支持部材（載置台用支持部材）１００が構築される。このリング用支持部材を構成する３つのフレーム１０，１０，１０は、リング２０の周囲に配置され当該リング１０の上方まで延在し、リング１０の上方で上部連結板１４，１５によって互いに連結される。
【００２５】
ここで、図４に基づいて、３つのフレーム１０，１０，１０の連結具である上部連結板１４及び下部連結板１５の詳細を説明する。
【００２６】
上部連結板１４は円板状の紙片から構成されている。勿論、上部連結板１４の形状は円板状には限定されない。また、上部連結板１４はプラスチックその他の材料で構成されていてもよい。この上部連結板１４は，各フレーム１０の連結片１３ａに対応する直線状の孔１４ａを備えている。つまり、上部連結板１４は、３つのフレーム１０，１０，１０の連結片１３ａ，１３ａ，１３ａに対応する３つの孔１４ａ，１４ａ，１４ａを備えている。この３つの孔１４ａ，１４ａ，１４ａは上部連結板１４の円周方向に等間隔（１２０度）に配置され、それぞれが中心から放射方向に延び、上部連結板１４の中央で互いに連結されている。その結果、３つの孔１４ａ，１４ａ，１４ａを連結した孔の全体形はＹ字状となっている。
この上部連結板１４によれば、３つのフレーム１０，１０，１０の連結片１３ａ，１３ａ，１３ａを対応する３つの孔１４ａ，１４ａ，１４ａに差し込むことによって、３つのフレーム１０，１０，１０の連結片１３ａ，１３ａ，１３ａの縁同士が接触した状態で、３つのフレーム１０，１０，１０が互いに連結される。
【００２７】
一方、下部連結板１５は上部連結板１４よりも径の小さい円板状の紙片から構成されている。勿論、下部連結板１５の形状は円板状には限定されない。また、下部連結板１５はプラスチックその他の材料で構成されていてもよい。この下部連結板１５は，各フレーム１０の連結片１３ｂに対応する直線状の孔１５ａを備えている。つまり、下部連結板１５は、３つのフレーム１０，１０，１０の連結片１３ｂ，１３ｂ，１３ｂに対応する３つの孔１５ａ，１５ａ，１５ａを備えている。この３つの孔１５ａ，１５ａ，１５ａは下部連結板１５の円周方向に等間隔（１２０度）に配置され、それぞれが中心から放射方向に延び、下部連結板１５の中央で互いに連結されている。その結果、３つの孔１５ａ，１５ａ，１５ａを連結した孔の全体形はＹ字状となっている。
この下部連結板１５によれば、３つのフレーム１０，１０，１０の連結片１３ｂ，１３ｂ，１３ｂを対応する３つの孔１５ａ，１５ａ，１５ａに差し込むことによって、３つのフレーム１０，１０，１０の連結片１３ｂ，１３ｂ，１３ｂの縁同士が接触した状態で、３つのフレーム１０，１０，１０が互いに連結される。
【００２８】
なお、この実施形態では、３つのフレーム１０，１０，１０を上部連結板１４及び下部連結板１５によって互いに連結させているが、どちらか一方で連結してもよい。ただし、この場合には、上部連結板１４及び下部連結板１５双方によって連結する場合よりも結合力が小さくなることは否めない。
【００２９】
リング２０は、図５に示すように、紙片，プラスチック等のある程度の剛性を有する板によって正６角形に形成されている。勿論、リング２０の形状は円形や四角形その他の形状であってもよい。このリング２０には、外形を構成する６辺のうち一つ置きの３辺の中央の内側に紐通し用の孔２１が形成され、他の辺の中央の内側に切り欠き２２が形成されている。
【００３０】
孔２１には、ループ状の紐状体３０が挿通され、紐状体３０の両端部をフレーム１０の上段フック１２ａ又は下段フック１２ｂに係合させることによってリング２０がフレーム１０に吊り下げられる。紐状体３０の例としては紐の他、チェーン等が挙げられる。なお、紐状体３０は非弾性材であってもゴム等の弾性材であってもよい。紐状体３０を弾性材とすれば、対戦中にリング２０が大きく揺れることになる。また、切り欠き２２には、後述するポール４０が装着される。
【００３１】
ポール４０は、プラスチックによって柱状に構成されている。勿論、ポール４０は他の材質であってもよい。このポール４０は、図６及び図７に示すように、半円状の天板４０ａ及び底板４０ｂと、天体４０ａと底板４０ｂとを連結する背板４０ｃとを備えている。このポール４０には、水平方向に延在する上段溝４１及び下段溝４２が設けられている。なお、本明細書において「溝」とは切り欠きも含む。また、ポール４０には、全長にわたって鉛直方向に延在する溝４３が設けられている。すなわち、ポール４０には、背板４０ｃの他に、上段溝４１、下段溝４２及び溝４３が形成されるような形状の板材が上記天板４０ａ、底板４０ｂ及び背板４０ｃに連結されて設けられている。
下段溝４２は、図８（Ａ）に示すように、リング２０の外周部を嵌合させるもので、溝幅がリング２０の厚みよりも僅かに大きく形成されている。この下段溝４２は、リング２０の外周部に嵌合し、下段溝４２の上下の溝壁でリング２０の外周部を幅広い範囲で上下から挟持する。
上段溝４１は、図８（Ｂ）に示すように、リング２０の外周部を載置させるように、溝の深い部分４１ａの幅がリング２０の厚みよりも僅かに大きく形成され、溝の浅い部分４１ｂの溝の深い部分４１ａの幅よりも大きく設定されている。具体的には、溝の浅い部分４１ｂの下の溝壁は溝の深い部分４１ａの下の溝壁よりも一段低く、一方、溝の浅い部分４１ｂの上の溝壁は溝の深い部分４１ａの上の溝壁よりも一段高く、しかも、溝の浅い部分４１ｂの上の溝壁は開口側上方に向けて傾斜している。このようにすることによって、リング２０を収容し易くしている。なお、溝の深い部分４１ａは、ポール４０をリング２０の切り欠き２２に合致させた場合だけ、当該切り欠き２２の側縁が嵌合可能な状態となる。この上段溝４１は、溝の深い部分４１ａ又は溝の浅い部分４１ｂを選択的に使用して、リング２０を支持させることができる。
溝４３は、その幅がポール４０の全長にわたってリング２０の厚みよりも僅かに大きく形成されており、図８（Ｃ）に示すように、ポール４０の上下方向全長にわたってリング２０の外周部に嵌合保持される。
【００３２】
以上のように構成されたスタジアム１によれば少なくとも次の第１から第４の態様を取ることができる。
第１の態様は、床，テーブル等の設置面Ｇにリング用支持部材１００を設置し、リング２０の孔２１に挿通させた紐状体３０の両端部を対応するフレーム１０の上段フック１２ａ，１２ａに掛けるとともに、ポール４０の上段溝４１の深い部分４１ａにリング２０の外周部を嵌合させる態様である。
第２の態様は、床，テーブル等の設置面Ｇにリング用支持部材１００を設置し、リング２０の孔２１に挿通させた紐状体３０の両端部を対応するフレーム１０の下段フック１２ｂ，１２ｂに掛けるとともに、ポール４０の下段溝４２にリング２０の外周部を嵌合させる態様である。
第３の態様は、床，テーブル等の設置面Ｇにリング用支持部材１００を設置し、リング２０の孔２１に挿通させた紐状体３０の両端部を対応するフレーム１０の上段フック１２ａ，１２ａ又は下段フック１２ｂ，１２ｂに掛けるとともに、リング２０の外周部にポール４０の溝４３を嵌合させる態様である。
第４の態様は、床，テーブル等の設置面Ｇにリング用支持部材１００を設置し、リング２０の孔２１に挿通させた紐状体３０の両端部を対応するフレーム１０の上段フック１２ａ，１２ａ又は下段フック１２ｂ，１２ｂに掛け、ポール４０を使用しない態様である。
【００３３】
遊びの際には、このような態様の中から、１つの態様を選択し、その態様に合うようにスタジアム１を組み上げる。その後、リング２０上に、外部のコントローラ（図示せず）によって遠隔操作されるロボットＡ，Ｂを載置し、それらのロボットＡ，Ｂを動作させて互いに格闘をさせる。そして、例えば、リング２０上で倒されたり、リング２０からリング外に落下したりしたら負けとなるゲームを行う。
【００３４】
この場合、上記第１態様の場合では、リング２０の外周部がポール４０の上段溝４１の深い部分４１aに浅く嵌合されているだけなので、リング２０が振動した際にリング２０がポール４０から外れ易い。リング２０がポール４０から外れると、単に、リング４０は紐状体３０によってリング用支持部材１００に吊り下げられた状態に保持されるため、極めて不安定になり、ロボットＡ，Ｂが倒れ易くなる。
【００３５】
また、第２態様の場合では、リング２０の外周部がポール４０の下段溝４２に奥深く嵌合されているので、極めて安定してリング２０が支持される。この場合には、格闘によるリング２０の振動でポール４０が徐々にリング４０から離脱することになり、比較的長時間にわたる格闘を行える。
【００３６】
さらに、第３態様の場合では、ポール４０全体がリング２０に保持され、設置面Ｇに設置されない。この場合には、リング２０は、紐状体３０によってリング用支持部材１００に保持されることになるが、リング２０の外周部に装着されたポール４０が落下抑制部材として機能するので、ポール４０が無い場合に比べ、リング２０上での格闘をより楽しむことができる。
【００３７】
また、第４態様の場合では、リング２０が紐状体３０によってのみリング用支持部材１００に吊り下げられているだけなので、リング２０は極めて不安定な状態に支持され、ロボット玩具Ａ，Ｂがより落下し易くなる。
【００３８】
以上、本考案の実施形態について説明したが、本考案は、かかる実施形態に限定されるものではなく、その考案の要旨を変更しない範囲で種々変形可能であることは言うまでもない。
例えば、上記実施形態では、対戦型玩具の例としてロボット玩具を挙げたが、対戦型独楽玩具その他の玩具を対戦させる場合にも適用可能である。
また、上記実施形態では、ポール４０に落下抑制部材を兼ねさせることとしたが、ポール４０とは別個に、リング２０の外周部に嵌合可能な溝を持つ専用の落下抑制部材を設けてもよい。
また、上記実施形態では、各フレーム１０にフック１２ａ，１２ｂを設け、このフック１２ａ又は１２ｂにループ状の紐状体３０を掛けるようにしたが、各フレーム１０にリング（環）を付設し、紐状体３０にフックを付設しておき、各フレーム１０のリングに紐状体３０のフックを掛けるようにしてもよい。
また、上記実施形態では、板状のリングとして正に平らなリング２０を挙げたが、皿状に湾曲するものも包含する。リング２０が紐状体３０に吊られて不安定なので、対戦型玩具の動きによってリング２０が揺れ、それに伴い対戦型玩具同士が接離し、対戦態様を複雑化することができるからである。
また、上記実施形態では、載置台の例としてリング２０を挙げたが、ダンス等を行うためのステージであってもよいし、サッカーを行うフィールドであってもよい。
【符号の説明】
【００３９】
１    スタジアム
１０    フレーム
１４    上部連結板
１５    下部連結板
２０    リング
３０    紐状体
４０    ポール
１００  リング用支持部材
Ａ，Ｂ    ロボット玩具
Ｇ    設置面
【図１】
0003188031.tif 000003
【図２】
0003188031.tif 000004
【図３】
0003188031.tif 000005
【図４】
0003188031.tif 000006
【図５】
0003188031.tif 000007
【図６】
0003188031.tif 000008
【図７】
0003188031.tif 000009
【図８】
0003188031.tif 000010